(57)【要約】      （修正有）【課題】部屋等の空気の換気を良好状態にして住居環境の向上を図り、ドアの下端部と履き物とが干渉せず、反りやねじれの発生が少ない換気フラッシュドアを提供する。【解決手段】中空部１０を有するフラッシュドアであって、前記中空部１０内において、中央補強材１３よりも上方側には少なくとも加圧発生手段３及び又は加圧伝達手段が配設されてなり、中央補強材１３よりも下方側には伸縮自在の耐圧空気袋５と、該耐圧空気袋５の上方に前記加圧発生手段３及び又は加圧伝達手段と連結された空気流通制御弁４と、該耐圧空気袋５の下方には耐圧支持手段６１を介在して付勢弾性体６が配設され、かつ付勢弾性体６の下方には耐圧支持手段６１を介在して上下移動可能に下辺横桟７が配設されていることを特徴とする換気フラッシュドア１である。【選択図】図１
2004300882.tif 000002
【特許請求の範囲】
【請求項１】
左右一対の縦桟と、その上辺に架設接合された上辺横桟と、該上辺横桟の下方に架設接合された中央補強材と、該中央補強材の下方に上下移動可能に配設される下辺横桟と、これらの両表面上には基板材と、該基板材の両表面上には化粧材が接着材を介在して貼着されており、該化粧材の一端略中央部には取手を有し、かつ前記縦桟と上辺横桟と中央補強材と下辺横桟と基板材とによって囲まれて形成された中空部を有するフラッシュドアであって、
前記中空部内において、中央補強材よりも上方側には少なくとも加圧発生手段及び又は加圧伝達手段が配設され、かつ電気回路により前記取手及び電源に連結されてなり、中央補強材よりも下方側には伸縮自在の耐圧空気袋と、該耐圧空気袋の上方に前記加圧発生手段及び又は加圧伝達手段と連結された空気流通制御弁と、該空気流通制御弁の下方には耐圧支持手段を介在して付勢弾性体が配設され、かつ該付勢弾性体の下方には耐圧支持手段を介在して上下移動可能に下辺横桟が配設されていることを特徴とする換気フラッシュドア。
【請求項２】
加圧発生手段は、アクチュエーター、小形モーターポンプのいずれかであることを特徴とする請求項１に記載の換気フラッシュドア。
【請求項３】
加圧伝達手段は、耐圧空気袋、耐圧空気流通管、及びこれらの組み合せのいずれかであることを特徴とする請求項１又は請求項２に記載の換気フラッシュドア。
【請求項４】
耐圧空気袋は、ガラス繊維・糸、ナイロン繊維・糸を含有し、補強されたシリコンゴム、ポリウレタンゴムその他の耐圧ゴム製の袋であることを特徴とする請求項１、請求項２又は請求項３のいずれかであることを特徴とする換気フラッシュドア。
【請求項５】
空気流通制御弁は、逆止弁、自動制御弁のいずれかであることを特徴とする請求項１、請求項２、請求項３又は請求項４に記載の換気フラッシュドア。
【請求項６】
耐圧支持手段は、金属成形板、強化プラスチック成形板、強化木板のいずれかであることを特徴とする請求項１、請求項２、請求項３、請求項４又は請求項５に記載の換気フラッシュドア。
【請求項７】
付勢弾性体は、コイルバネ、重ね板バネ、防振ゴム板重ねバネのいずれかであることを特徴とする請求項１、請求項２、請求項３、請求項４、請求項５又は請求項６に記載の換気フラッシュドア。
【請求項８】
下辺横桟は、発泡合成樹脂成形板、発泡ゴム成形板、インシュレーションボード、強化コルク板のいずれかであることを特徴とする請求項１、請求項２、請求項３、請求項４、請求項５、請求項６又は請求項７に記載の換気フラッシュドア。
【請求項９】
縦桟、上辺横桟、中央補強材、基板材は、木材繊維多方向配列集成材、該集成材の挽材を含むランバー合板、ホルマール化木材の寸法安定木材のいずれか又はその組合せであることを特徴とする請求項１、請求項２、請求項３、請求項４、請求項５、請求項６、請求項７又は請求項８に記載の換気フラッシュドア。
【請求項１０】
接着材は、活性炭、活白土、ゼオライト微粉末、ベントナイト微粉末、石灰微粉末の吸着剤を含有することを特徴とする請求項１、請求項２、請求項３、請求項４、請求項５、請求項６、請求項７、請求項８又は請求項９に記載の換気フラッシュドア。
【発明の詳細な説明】
【０００１】
【発明の属する技術分野】
本発明は、部屋等の空気の換気を良好状態にして住居環境の向上を図り、ドアの下端部と履物とが干渉せず、反りやねじれの発生が少ない換気フラッシュドアに関するものである。
【０００２】
【従来の技術】
従来、特許文献１により、図７に示すごとく、「ドア本９１の下端部に駆動機構９２によって昇降動自在の昇降体９１を嵌着し、ハンドルレバー９５を回動することによって昇降体９１を上昇させ、開放空間を形成する」住宅用ドア９が提案されている。
【０００３】
これにより、ドア本体９１の上方に設けた感知機構９６で昇降体９１の上昇姿勢を維持して履物とドアの下端部との干渉を回避している。
一方、図８に示すごとく、ドア９を閉めると感知機構９６が検知作動し駆動機構９２を介して昇降体９３を下降させて、元の状態に復帰させるものである。
【０００４】
他方、本出願人は、特許文献２により「芯材の上に吸着材を混入した防湿層を介して化粧板を貼着するフラッシュドア」を提案している。
これにより、前記防湿層が空気中の湿分を吸収し、芯材中における水分の移動を抑制してフラッシュドアの反りやねじれの発生を防止しようとするものである。
また、特許文献３により「木材繊維が多方向に配置された集成材又はこの集成材を挽材として使用するランバー合板を用いて、平滑で反りやねじれの発生の少ない平滑安定ドア」を提案している。
【０００５】
【特許文献１】
特開２０００−１４５３０５号公報
【特許文献２】
特願２００２−２１３８７１号
【特許文献３】
特願２００２−３１４１９１８号
【０００６】
【発明が解決しようとする課題】
しかしながら、特許文献１の発明によれば、図７〜図９に示すごとく、駆動機構９２がソレノイド、自動制御弁、油圧ポンプ、自動制御弁、油圧シリンダー９２０、モーター、歯車９３、左右一対の昇降シャフト９１０と多数の部品により構成されている。
そのため、駆動機構９２の総重量が大きくなり、ドア９の開閉の円滑性に支障をきたすものと容易に推察される。そして、部分的な重量の偏向により、ドアの反りやねじれの発生が生じ易いと推察される。
【０００７】
また、ドア本体９１の上方には感知機構９６があり、更に図９によれば、電気回路中に第１スイッチと第２スイッチ、更には電気ユニット９７が存在する。そのため、電気回路が複雑となる。また、図８に示すごとく、油圧シリンダー９２０の中で昇降シャフト９１０が感知機構９６の検知作動と連動するには時間的な多少のズレが生じることも推察される。
【０００８】
そこで、本発明は、前記問題点に鑑みてなされたものであり、本発明が解決しようとする課題は、従来のドアよりも軽量で、比較的シンプルな機構により、反りやねじれの発生の少ない換気フラッシュドアを提供しようとするものである。
【０００９】
【課題を解決するための手段】
上記課題を解決するため、本発明が採った手段は請求項１〜請求項１０の記載に示す通りである。なお、本発明を具体的に説明するため、実施例において使用する図面の符号を用いて以下に説明する。
【００１０】
まず、請求項１に記載の発明によれば、左右一対の縦桟１１、１１と、その上辺に架設接合された上辺横桟１２と、該上辺横桟１２下方に架設合された中央補強材１３と、該中央補強材１３の下方に上下移動可能に配設される下辺横桟１７と、これらの両表面上には基板材１３と、該基材板１３の両表面には化粧材１６が接着材１５を介在して貼着されており、該化粧材１６の一端略中央部には取手２を有し、かつ前記縦桟１１と上辺横桟１２と中央補強材１３と下辺横桟１７と基板材１４とによって囲まれて形成された中空部１０を有するフラッシュドアであって、
前記中空部１０内において、中央補強材１３よりも上方側には少なくとも加圧発生手段３及び又は加圧伝達手段３１が配設され、かつ電気回路により前記取手２及び電源８０に連結されてなり、中央補強材１３よりも下方側には伸縮自在の耐圧空気袋５と、該耐圧空気袋５の上方に前記加圧発生手段３及び又は加圧伝達手段３１と連結された空気流通制御弁４と、該空気流通制御弁４の下方には耐圧支持手段６１を介在して付勢弾性体６が配設され、かつ該付勢弾性体６の下方には耐圧支持手段６１を介在して上下移動可能に下辺横桟１７が配設されている換気フラッシュドア１を提供するものである。
これにより、部屋等の空気の換気を円滑にして、住居環境の向上を図り、ドアの下端部と履物（靴やスリッパ）と干渉し合う（ぶつかり合う）ことがない換気フラッシュドア１を提供するものである。
【００１１】
次に、請求項２に記載の発明によれば、加圧発生手段３はアクチュエーター３１、小形モーターポンプ３２のいずれかであることを特徴とする換気フラッシュドア１を提供するものである。
これにより、比較的アクチュエーター３１又は小形モーターポンプ３２を少数配設することにより、空気ポンプの原理を応用して、従来の同種の装置に係る特許文献１よりも小形化して、シンプルな機構にすることが出来る。
【００１２】
そして、請求項３に記載の発明によれば、加圧伝達手段３１は耐圧空気袋５又は耐圧空気流通管５１及びこれらの組み合せのいずれかであることを特徴とする換気フラッシュドア１を提供するものである。
これにより、実施例２に例示するごとく、小形モーターポンプ３２を使用し、更に耐圧空気袋５及び耐圧空気流通管５１との組合せにより、加圧発生手段３を軽量化することが出来る。
【００１３】
請求項４に記載の発明によれば、耐圧空気袋５はガラス繊維・糸、ナイロン繊維・糸を含有し、補強された電源、ポリウレタンゴムその他の耐圧ゴム製の袋であることを特徴とする換気フラッシュドア１を提供するものである。
これにより、耐圧空気袋５は耐圧性、耐久性に優れ、長時間約５気圧以下の圧搾空気を入れたままの状態に保つことが出来る。なお、ガラス繊維・糸とはガラス繊維布又は糸、更にはこれらの混合物を意味するものであり、またナイロン繊維・糸とは、ナイロン（登録商標）の繊維布又は糸、更にはこれらの混合物を意味するものである。
【００１４】
請求項５に記載された発明によれば、空気流通制御弁４は逆止弁４１又は自動制御弁４２のいずれかであることを特徴とする換気フラッシュドア１を提供するものである。
これにより、圧電素子、圧力スイッチなどを用いた小形の逆止弁４１又はソレノイド、ダイヤフラムなどを用いた自動制御弁４２などからなる空気流通制御弁４により、加圧発生手段３や耐圧空気袋５の連結を従来の駆動機構９２（図７等参照）よりもコンパクトにすることが出来る。
【００１５】
請求項６に記載された発明によれば、耐圧支持手段６１は金属成形板、強化プラスチック成形板、強化木板のいずれかであることを特徴とする換気フラッシュドア１を提供するものである。
これにより、耐圧空気袋５、付勢弾性体６などにより、これら板に対して、たとえ高圧力や高負荷が加わっても、機械的に充分耐えることが出来る。
【００１６】
請求項７に記載された発明によれば、付勢弾性体６は、コイルバネ、重ね板バネ、防振ゴム板重ねバネのいずれかであることを特徴とする換気フラッシュドア１を提供することが出来る。
これにより、特定の金属又は防振ゴムの弾性を利用した付勢力により、下辺横桟１７を瞬時に上下移動可能にして、ドアの下方部を開放又は閉止状態にし、部屋などの換気を良好状態にして、住居環境を向上させることが出来る。
【００１７】
請求項８に記載の発明によれば、下辺横桟１７は発泡性合成樹脂成形板６２、発泡ゴム成形板、インシュレーシンボード、強化コルク板のいずれかであることを特徴とする換気フラッシュドア１を提供するものである。
これにより、比較的軽量で、高強度でかつ柔軟性や弾力性を有する板状物により下辺横桟１７を構成し、該下辺横桟１７の上下移動を可能とし、更に該下辺横桟１７の耐摩耗性や耐久性を向上すると共に、床材などに当接しても損傷を与えることが少なくなる。
【００１８】
請求項９に記載の発明によれば、縦桟１１、上辺横桟１２、中央補強材１３、基板材１４は、木材繊維多方向配列集成材、該集成材を挽板とするランバー合板、ホルマール化木材の寸法安定木材のいずれか又はその組合せであることを特徴とする換気フラッシュドア１を提供するものである。
これにより、寸法変化率が小さく寸法安定性に優れた換気フラッシュドア１を得ることが出来るため、フラッシュドアの中空部１０内において空気中の水分などを吸入したり、各種の加圧発生手段３、空気流通制御弁４、付勢弾性体６などの精密機械のメンテナンス性が向上する。
【００１９】
請求項１０に記載の発明によれば、接着材１５は活性白土、活性炭ゼオライト微粉末、ベントナイト微粉末、石灰微粉の吸着剤を含有することを特徴とする換気フラッシュドア１を提供するものである。
これにより、空気中の水分（湿分）を吸着剤が吸収して、縦桟１１、上辺横桟１２、基板材１４などが伸縮されることなく、これら縦桟１１、上辺横桟１２、基板材１４中の水分の移動を抑制して、ドアの反りやねじれの発生を防止することが出来る。
【００２０】
【発明の実施の形態】
本発明の実施の形態につき、実施例で使用する図面を用いて、各種態様を具体的に説明する。
まず、図１は本発明の実施例１に係る換気フラッシュドア１における基板材１４、接着材１５、化粧材１６を取り外した状態を示す一部切開正面図である。
図１において、フラッシュドアの内部に配設した換気装置の全体を模式的に示したものである。
ここで注目すべきことは、中央補強材１３の上方側に配設した加圧発生手段３としてのアクチュエーター３１がソレノイド３２と油圧シリンダー３３と並列した状態で装着されている。そして、これら各々は電気回路２２又は油圧管（図示略）で連結されている。
【００２１】
次に、中央補強材１３の下方側においては、該中央補強材１３の略中央部に貫通配設した空気流通制御弁４を介在して前記加圧発生手段３と連結したジャバラ状態の耐圧空気袋５が配設されている。
そして、該耐圧空気袋５は、耐圧支持手段６１を介在して付勢弾性体６としての板状バネが配設されている。該耐圧空気袋５は一対の耐圧支持手段６１、６１にサンドイッチ状態で装着されている。また、該耐圧空気袋５の下方には木材繊維多方向配列集成材からなる下辺横桟１７が形成されている。
【００２２】
そして、図２は中央部における縦断面である。
これの図面において、取手２を、例えば上に持ち上げるようにして回動すると、リミットスイッチ２１が作動するよう配設してある。ここで、リミットスイッチ２１とは、リミットの位置を検出を目的として、マイクロスイッチなどを付けて金属ケースに封入されている。主として、ローラーリーフスプリング形とピン押ボタン形がある。
【００２３】
前記リミットスイッチ２１は、電気回路２２を介在して前記加圧発生手段３としてアクチュエーター３１に連結されると共に、図１に示すごとく、柱８１に配設させた電源８０に連結されている。そのため、リミットスイッチの作動によりアクチュエーター３１が作動して圧搾空気を空気流通制御弁４を介在して、耐圧空気袋５内に送風する。ここで、アクチュエーター３１は、油圧ポンプの作動によりシリンダー３０内に圧搾空気を溜め、その後、耐圧空気袋５へ送風するものである。
これにより、耐圧空気袋５は膨張して、下方に配設された付勢弾性体６を下方向へ移動させ、この付勢弾性体６の稼働エネルギーが自動制御弁６２を介在して下辺横桟１７を下方へ移動させる。
これにより、下辺横桟１７によって、図１及び図２に示すごとく、換気フラッシュドア１は、下方において下辺横桟１７により換気用開口部（図３における６０の部分）が塞がれた状態になる。
【００２４】
一方、図３に示すごとく、再び取手２が下方向に回動されると、前記アクチュエーター３１は空気圧制御弁としての空気流通制御弁４が開きアクチュエーター３１のシリンダー内が減圧状態になり、耐圧空気袋５はこれに伴い減圧縮小する。これにより付勢弾性体６は上方に伸びると共に、その下方の自動制御弁６２及び下辺横桟１７も上方に移動し、床面８２とドア下端部である下辺横桟１７が開口状態となる。（図３、図６参照）
【００２５】
他方、図４は実施例２に係る換気フラッシュドア１の一部切開正面図である。本例は、加圧発生手段３として小形モーターポンプ３２を配設したものである。取手２の下方向回動によりリミットスイッチ２１が作動し、小形モーターポンプ３２を作動させる。これにより、予備耐圧空気袋５０内の空気は小形モーターポンプ３２に吸入され、圧搾空気を発生させる。そして、発生した圧搾空気は空気流通制御弁４はダイヤフラムと空気ダンバ（図示略）を介在して空気バネの原理により、耐圧空気流通管５１で圧搾された空気が逆止弁４１を介在して耐圧空気袋５内で膨張し、このエネルギーが下方向に配設されたコイルバネ（スプリングバネ）を矢印の下方向へ付勢する。これにより空気ばねと付勢弾性体６による付勢力によって発泡樹脂成形板６２と下辺横桟１７が下方向へ移動する。したがって、図４は、床面８２とドア下方辺としての下辺横桟１７が密着した状態を示し、換気機能は殆んど働かなくなる。
【００２６】
また、図５は、実施例２の換気フラッシュドア１の上方に配置するドアクローザー（ドア・チェック）の斜視図を示すものである。
図４の（イ）に示すものは、外開き用のドアクローザー８６である。この外開き（パラレル）用のものは、適応扉幅が９００ミリメートル〜１２００ミリメートルのもので、ストップ付き（速度調節付き）とストップなし（速度調節なし）とがある。
また、図５の（ロ）に示すものは、内開き用のもの（ロ）で、標準タイプもので、適応扉サイズは８００ミリメートルのものがある。
【００２７】
なお、本発明に係る換気フラッシュドア１は、一般に玄関などにおいて、外開き用扉と、洋室の間仕切り扉としての内開用扉との双方に適用することが出来る。
以下、本発明の好ましい実施例１（図１〜図３）と、次に最も好ましい実施例２（図４〜図６）について、図面を用いて具体的に説明する。
【００２８】
（実施例１）
本例の換気フラッシュドア１は、図１〜図３に示すごとく、玄関用フラッシュドアを示すものである。
まず、図１に示すごとく、ドア枠は左右一対の縦桟１１、１１と、その上辺に架設接合された上辺横桟１２と、その下辺に上下移動可能に配設された下辺横桟１７とによって構成される。
そして、図１〜図３に示すごとくドア略中央部において両縦桟１１、１１に架設接合された中央補強材１３が架設接合されている。
また、図２及び図３に示すごとく、前記縦桟１１、１１の両表面（表と裏側）上には基板材１４と接着材１５を介在して化粧材１６が貼着された中央部において中空部１０を有するフラッシュドアである。
この基本的なドア枠の構成は、次に示す下方側２においても同様な構成である。
【００２９】
上記フラッシュドアは、柱８１に蝶番８３を介在して開閉可能に装着されている。また、柱８１に配電された電気回路８０により、前記縦桟１１、１１と上辺横桟１２及び中央補強材１３の一部に電気回路２２が配設されている。この点も実施例２においても同様な構成である。
以下に、中空部１０内において装着した耐圧空気袋５と、これらで作動する上下移動可能な状態で配設した下辺横桟１７を有する換気フラッシュドア１について説明する。
前記中空部１０内において、中央補強材１３よりも上方側には、加圧発生手段３としてのアクチュエーター３１を配設する。このアクチュエーター３１は、シリンダー３０内において、モーター３２の回動エネルギーを油圧タンク３４内のオイルを一旦圧縮し、これにより空気を圧縮して圧搾空気を発生する加圧発生手段３の一種である。
【００３０】
次に、圧搾空気は下方向（矢印）へ移動する。
そして、中央補強材１３よりも下方側に伸縮自在に排泄した耐圧空気袋５としてのガラス繊維・糸により強化されたシリコンゴム袋内に入る。このシリコンゴム袋はジャバラ状に構成されており、圧搾空気が充満すると、一対の耐圧支持手段６１、６１を介在して自動制御弁により構成された下辺横桟１７を下方向へ移動させる。
これにより、図１及び図２に示すごとく、床面８２と下辺横桟１７とは接触状態か、又はこれに近い状態に密接する。
【００３１】
次に、図３に示すごとく、取手２を下方向に回動するとリミットスイッチ２１が作動し、電気回路２２により連結されたアクチュエーター３１に電気エネルギーが伝達して空気流通制御弁４としての自動制御弁４１の上方が開口し、耐圧空気袋５内の圧搾空気がアクチュエーター３１の開口弁（図示略）を介在して放出される。
これにより、耐圧空気袋５は緩んだ状態となり、付勢弾性体６は上方側へ付勢されはね上がる。その結果、図３に示すごとく床面３０と下辺横桟１７との間に隙き間８０を生じて、換気状態になる。
【００３２】
冬季であれば、ストーブの燃焼などにより汚染された部屋内の空気が外部の空気と一部換気されて住居環境が改善される。
また、夏季であれば、涼しい空気が部屋内に入り人体の健康上及び精神衛生上好ましい状態となる。
【００３３】
なお、上記縦桟１１、上辺横桟１２、中央補強材１３、基板材１４は、木材繊維多方向配列集成材又はこれを挽き材とするランバー合板を使用する。また、基板材１４に接着材１５を介在して化粧材１６を貼着するに当り、吸着剤を混入しておく。
これにより、寸法安定率が小さく寸法安定性に優れた換気フラッシュドア１を得ると共に、反りやねじれの発生が少ない換気フラッシュドア１を得ることが出来た。
なお、化粧材１６としては、耐摩耗性、耐熱性等の耐久性に優れたメラミン化粧板を使用した。これにより化粧表面に傷が付きにくい換気フラッシュドア１を得ることが出来た。
【００３４】
（実施例２）
本例は、図４〜図６に示すごとく、洋風部屋の間仕切り開閉ドアとしての換気フラッシュドア１を提供するものである。
図４に示すごとく、実施例１におけるアクチュエーター３１に代えて、小形モーターポンプ３２及びこれと連結する耐圧空気流通管５１と補助用圧搾空気溜めとしての耐圧空気袋５とからなる耐圧空気流通管及び加圧伝達手段としたものである。
また、耐圧空気袋５の下方側に配設した付勢弾性体６は、実施例１における板バネに代えて、コイルバネにより構成した。
そして、耐圧空気袋５は、ナイロン繊維・糸を混入したポリウレタンゴムにより構成した。
【００３５】
図５に示すごとく、ドアクローザー８５は、内開き用で速度調節付きのものを使用した。ドア枠の上方鴨居（図示略）の略中央部に取付けた。
その他は、実施例１と同様に構成した。
本例によれば、下方側１に係る換気フラッシュドア１よりも軽量で、図６に示すごとく、換気性に優れたドアクローザー８５によりドア開閉の速度が調整することが可能で、特に高年齢者や子供に優しいものである。また、小形モーターポンプ３２の作動とコイルバネの作動による動きの緩和な空気バネによる換気フラッシュドア１を提供することが出来るため、住宅環境を向上させることにより、高年齢者や子供に対してバリアフリーを考慮した住宅用ドアとして最適である。
【００３６】
【発明の効果】
本発明は、請求項１〜請求項１０に記載された発明により構成されているため、次に示すような諸々の効果を奏するものである。
まず、請求項１に記載の発明によれば、部屋等の空気の換気を円滑にして、住居環境の向上を図り、ドアの下端部と靴やスリッパ等の履き物とが干渉し、ぶつかり合うこうがない換気フラッシュドア１を提供することが出来る。
次に、請求項２に記載の発明によれば、比較的アクチュエーター３１化粧材かたは小形モーターポンプ３２を少数配設することにより、空気ポンプの原理を応用して、従来の同種の装置に係る特許文献１よりも小形化して、シンプルな機構にすることが出来る。
【００３７】
そして、請求項３に記載の発明によれば、実施例２に例示するごとく、小形モーターポンプ３２を使用し、更に耐圧空気袋５及び耐圧空気流通管５１との組み合せにより、加圧発生手段３を軽量化することが出来る。
また、請求項４に記載の発明によれば、耐圧空気袋５はガラス繊維・糸、ナイロン繊維・糸を含有し、補強されたシリコンゴム、ポリウレタンゴム製の袋であるため、耐圧性、耐久性に優れ、長時間約５気圧以下の圧搾空気を入れたままの状態に保つことが出来る。
【００３８】
請求項５に記載の発明によれば、圧電素子、圧力スイッチなどを用いた小形の逆止弁４１又はソレノイドやダイヤフラムを用いた自動制御弁４２などからなる空気流通制御弁４により、加圧発生手段３や耐圧空気袋５の連結を従来の駆動機構９２（図７等参照）よりもコンパクトにすることが出来る。
また、請求項６に記載の発明によれば、耐圧空気袋５、付勢弾性体６などに対して、たとえ高圧力や高負荷が加わっても、機械的に充分耐えることが出来る。
【００３９】
請求項７に記載の発明によれば、特定の金属又は防振ゴムの弾性を利用した付勢力により、下辺横桟１７を瞬時に上下移動可能にして、ドアの下方部を開放又は閉止状態にし、部屋などの換気を円滑にして、住居環境を向上させることが出来る。
また、請求項８に記載の発明によれば、下辺横桟１７は自動制御弁６２、発泡ゴム成形板、インシュレーションボード、強化コルク板を使用するため、比較的高強度でかつ柔軟性や弾力性を有する板状物により下辺横桟１７を構成し、耐摩耗性や耐久性を向上すると共に、床材などに当接しても損傷を与えることが少なくなる。
【００４０】
請求項９に記載の発明によれば、寸法変化率が小さく、寸法安定性に優れた換気フラッシュドア１を得ることが出来るため、フラッシュドアの中空部１０内において空気中の水分を吸入したり、各種の加圧発生手段３、空気流通制御弁４、付勢弾性体６などの精密機械のメンテナンス性が向上する。
【００４１】
また、請求項１０に記載の発明によれば、空気中の水分（湿分）を縦桟１１，上辺横桟１２、基板材１４などが吸収されることがなく、これら縦桟１１、上辺横桟１２、基板材１４中の水分の移動を抑制して、ドアの反りやねじれの発生を防止することが出来る。
以上のごとく、本発明によれば、部屋等の空気の換気を良好状態にして住居環境の向上を図り、ドアの下端部と履き物とが干渉せず、反りやねじれの発生が少ない換気フラッシュドア１を提供することが出来る。
【図面の簡単な説明】
【図１】本発明の実施例１に係る換気フラッシュドアの一部切欠正面図である。
【図２】本発明の実施例１に係る換気フラッシュドアの中央断面図である。
【図３】本発明の実施例１に係る下辺横桟の開放状態を示す中央断面図である。
【図４】本発明の実施例２に係る換気フラッシュドアの一部切欠正面図である。
【図５】実施例２において使用するドアクローザーの一部斜視図である。
【図６】本発明の実施例２に係る換気フラッシュドアの効果の状態を示す一部断面図である。
【図７】従来の住居用ドアの一部切欠正面図である。
【図８】従来の住居用ドアのドア下端部の作動状態を示す説明図である。
【図９】従来の住居用ドアの電気回路の平面図である。
【符号の説明】
１    換気フラッシュドア
１１    縦桟
１２    上辺横桟
１３    中央補強材
１４    基板材
１５    接着材
１６    化粧材
１７    下辺横桟
２        取手
２２    電気回路
３        加圧発生手段
３１    加圧伝達手段
３１    アクチュエーター
３２    小形モーターポンプ
４        空気流通制御弁
４１    逆止弁
４２    自動制御弁
５        耐圧空気袋
５０  予備耐圧空気袋
５１    耐圧空気流通管
６        付勢弾性体
６１    耐圧支持手段
６２    発泡樹脂成形板
【図１】
2004300882.tif 000003
【図２】
2004300882.tif 000004
【図３】
2004300882.tif 000005
【図４】
2004300882.tif 000006
【図５】
2004300882.tif 000007
【図６】
2004300882.tif 000008
【図７】
2004300882.tif 000009
【図８】
2004300882.tif 000010
【図９】
2004300882.tif 000011